(57)【要約】【課題】配管の減肉化を低減可能なオリフィス部材を提供することにある。【解決手段】配管よりも小径で流体の通過可能な孔部１１と、オリフィス部材１０一面側に形成されて配管内壁全周に沿って配置可能なテーパ部位（１２ｆ，１２ｓ）と、一面とは異なるオリフィス部材１０他面側を構成して配管内壁に対して垂直状に配置可能な垂直面部位１６とを有し、オリフィス部材１０を配管内に配置する際に、配管上流側に向かって拡開するようにテーパ部位（１２ｆ，１２ｓ）を配置しつつ、配管下流側に垂直面部位１６を配置する。【選択図】図１
2012052573.tif 000002
【特許請求の範囲】
【請求項１】
流体の流通可能な配管内に配置されるオリフィス部材において、
前記配管よりも小径で前記流体の通過可能な孔部と、前記オリフィス部材一面側に形成されて前記配管内壁全周に沿って配置可能なテーパ部位と、前記一面とは異なる前記オリフィス部材他面側を構成して前記配管内壁に対して垂直状に配置可能な垂直面部位とを有し、
前記オリフィス部材を前記配管内に配置する際に、前記配管上流側に向かって拡開するように前記テーパ部位を配置しつつ、前記配管下流側に前記垂直面部位を配置する構成のオリフィス部材。
【請求項２】
前記テーパ部位が、前記孔部周縁に形成される第一テーパ部位と、前記オリフィス部材一面側に形成されて前記配管上流側に配置される第二テーパ部位とを有する請求項１に記載のオリフィス部材。
【請求項３】
前記第二テーパ部位が、前記配管壁面に対して２０°〜４５°の角度で傾斜する請求項２に記載のオリフィス部材。
【発明の詳細な説明】
【技術分野】
【０００１】
本発明は、オリフィス部材（差圧式流量計の構成部材）に関する。
【背景技術】
【０００２】
原子力発電所、火力発電所及び化学プラントなど各種設備では、設備内外に配管を配設して、各種の流体（液体や気体等）を流通させる。そして配管内の流体流量を測定する流量計として、比較的構造の簡単なオリフィス部材が採用されることが多い。
この種のオリフィス部材は、配管途中に配設される部材（典型的にプレート状）であり、配管内径よりも小さい孔部を有する（特許文献１を参照）。公知技術では、オリフィス部材を配管内に配置する。そして配管内の流体が、オリフィス部材（孔部）を通過することで、オリフィス部材の前後（上流と下流）で流体の圧力差が生じる。
【０００３】
ここでオリフィス部材の前後（上流と下流）の圧力差と流体流量には一義的な関係があることが知られる。
そこで一対の導圧管を、それぞれオリフィス部材を挟んで配管の上流側及び下流側に設けるとともに、一対の導圧管に差圧計をつなげる。そしてオリフィス部材の前後（上流と下流）の圧力差を測定することで、配管内を流れる流体の流量を測定する。
【０００４】
ところで上述の構成では、オリフィス部材の下流側の配管内壁が、流体の乱流化などにより剥離欠損する（いわゆる減肉現象が生じる）ことがあった。特に高温高圧下に置かれる配管（原子力発電所等の配管）は減肉現象が促進されやすい環境にあった。
このため典型的な設備では、各種の検知手段によって配管の減肉度合いを検知したのち、必要に応じて新たな配管に取換えることで対応していた（特許文献２を参照）。特に高温高圧下の配管は減肉化が促進されやすいことから、配管の取換え頻度が多くなりがちであった。
【先行技術文献】
【特許文献】
【０００５】
【特許文献１】特開平９−６８４４６号公報
【特許文献２】特開２００９−０４１９２４号公報
【発明の概要】
【発明が解決しようとする課題】
【０００６】
このため従来、配管の減肉化を低減可能な技術（特にシンプルな技術）が望まれていた。而して本発明は上述の点に鑑みて創案されたものであり、本発明が解決しようとする課題は、配管の減肉化を低減可能なオリフィス部材を提供することにある。
【課題を解決するための手段】
【０００７】
上記課題を解決するための手段として、第１発明のオリフィス部材は、流体の流通可能な配管内に配置される部材である。そしてこの種の配管では、例えばオリフィス部材（比較的簡単な構成）によって、配管の減肉化を低減できることが望ましい。
そこで本発明のオリフィス部材は、孔部と、テーパ部位と、垂直面部位を有する。孔部は、配管よりも小径で流体の通過可能な部位である。またテーパ部位は、断面視で内壁に対して直線状に傾斜する部位であり、オリフィス部材一面側に形成されて配管内壁全周に沿って配置可能である。そして垂直面部位は、配管内壁に対して垂直状に配置可能な部位であり、前記一面とは異なるオリフィス部材他面側を構成する。
そして本発明では、オリフィス部材を配管内に配置する際に、配管上流側に向かって拡開するようにテーパ部位を配置しつつ、配管下流側に垂直面部位を配置する構成とした。
このようにテーパ部位を配管上流側に配置することで、オリフィス部材の前後における圧力変動を適切に低下させつつ、流体の流れを比較的スムーズ化して流体の乱流化を抑制することができる。またオリフィス部材の他面側を垂直面部位で構成することにより、オリフィス部材の構成が簡略化される。
【０００８】
第２発明のオリフィス部材は、第１発明のオリフィス部材であって、上述のテーパ部位が、孔部周縁に形成される第一テーパ部位と、オリフィス部材一面側に形成されて配管上流側に配置される第二テーパ部位とを有する。
本発明では、第一テーパ部位と第二テーパ部位によって、オリフィス部材の前後における圧力変動を好適に低下させることにより、流体の流れが更にスムーズ化する。
【０００９】
第３発明のオリフィス部材は、第２発明のオリフィス部材であって、上述の第二テーパ部位が、配管壁面に対して２０°〜４５°の角度で傾斜する。
本発明では、第二テーパ部位を適切な角度で傾斜させることで、流体の流れがより確実にスムーズ化される。
【発明の効果】
【００１０】
本発明に係る第１発明によれば、配管の減肉化を低減可能なオリフィス部材を提供することができる。また第２発明によれば、配管の減肉化をより確実に低減することができる。そして第３発明によれば、配管の減肉化を更に確実に低減することができる。
【図面の簡単な説明】
【００１１】
【図１】実施形態１のオリフィス部材の断面図である。
【図２】実施形態２のオリフィス部材の断面図である。
【図３】比較例２におけるオリフィス部材の配設状態を示す断面図である。
【図４】試験装置の概略図である。
【図５】流量係数の試験結果を示す図である。
【図６】流量係数の試験結果を示す別の図である。
【図７】圧力分布の試験結果を示す図である。
【図８】変動圧力分布の試験結果を示す図である。
【図９】変動圧力分布の試験結果を示す別の図である。
【図１０】表面形状の試験結果を示す図である。
【図１１】減肉パターンの試験結果を示す図である。
【図１２】最大変動圧力分布の試験結果を示す図である。
【発明を実施するための形態】
【００１２】
以下、本発明を実施するための形態を、図１〜図１２を参照して説明する。
そして各実施形態では、図４の装置を基準として各部材の上下を定めるとともに、各図に、適宜、各装置又は部材の上方に符号ＵＰ、各装置又は部材の下方に符号ＤＷを付す。
なお本実施形態では、鉛直管（鉛直方向に向けて配置される配管）を一例に説明するが、配管の配設方向を限定する趣旨ではない。例えば配管として、水平管（水平方向に向けて配置される配管）や斜め管（斜め方向に向けて配置される配管）等の各種配管を単体又は複数組み合わせて用いることができる。
【００１３】
＜実施形態１＞
本実施形態のオリフィス部材１０は、配管内部の流体流量を測定する流量計であり、配管（３０ｕ，３０ｄ）内に配設することができる（図１を参照）。ここで配管は、流体（液体や気体等）の通過可能な筒状部材であり、各種設備（原子力発電所、火力発電所、化学プラントなど）の内外に配設できる。
そして上述の構成では、オリフィス部材１０の下流側の配管内壁が、流体の乱流化などにより剥離欠損する（減肉現象が生じる）ことがあった。そこで本実施形態では、後述するオリフィス部材１０の構成（比較的シンプルな構成）によって、配管の減肉化を低減することとした。以下、各構成について詳述する。
【００１４】
［オリフィス部材］
オリフィス部材１０は、孔部１１と、後述のテーパ部位（第一テーパ部位１２ｆ、第二テーパ部位１２ｓ）及び垂直面部位１６を有する（図１を参照）。
そして本実施形態では、後述するように、配管下流側に垂直面部位１６を配置するとともに、配管上流側に向かって拡開するようにテーパ部位（１２，１４）を配置することとした。
【００１５】
（孔部）
孔部１１は、配管（３０ｕ，３０ｄ）よりも小径で流体の通過可能な貫通孔（正面視で略円形状）であり、オリフィス部材１０の中央に形成できる（図１を参照）。
ここで配管内径Ｄに対する孔部１１の径寸法ｄを適宜設定することで、オリフィス部材１０の前後（上流と下流）で所定の圧力差を生じさせる。
例えばＪＩＳ規格では、後述の圧力取出し方法（Ｄ・Ｄ／２タップとフランジタップ）に応じて、配管内径Ｄ（ｍｍ）が５０≦Ｄ≦７６０のとき、孔部１１の径寸法ｄ（ｍｍ）を、ｄ≧１２．５に設定できる。また同条件において、絞り直径比β（＝ｄ／Ｄ）を、０．２≦β≦０．７５に設定できる。
【００１６】
（テーパ部位）
本実施形態のテーパ部位は、オリフィス部材１０一面側（配管上流側）に形成される部位であり、第一テーパ部位１２ｆと、第二テーパ部位１２ｓを有する（図１を参照）。
第一テーパ部位１２ｆは、孔部１１周縁に形成される部位であり、例えば孔部１１（上流側）の内縁全周を傾斜状に切欠くことで形成できる。
そして本実施形態では、第一テーパ部位１２ｆを、孔部１１の内面部１８（配管内壁に対して平行な部位）に対して角度θ１で直線状に傾斜させることができる（図２を参照）。角度θ１の範囲は特に限定しないが、典型的には２０°〜４５°である。
ここで角度θ１が２０°未満であると、θ１＞θ２の関係があるためテーパ部位が長くなり、オリフィス部材が大型化するが、大型化に見合った顕著な効果は得難い。また角度θ１が４５°より大きいと、期待する減肉効果が得難い状況となる。
【００１７】
また第二テーパ部位１２ｓは、オリフィス部材１０一面側に向けて突出する部位であり、配管上流側に配置される。第二テーパ部位１２ｓの上流側が配管内壁につながるとともに、第二テーパ部位１２ｓの下流側が第一テーパ部位１２ｆにつながる。
このように第二テーパ部位１２ｓにより、配管内壁と第一テーパ部位１２ｆを連続的につなげることで、配管内の流体の流れがスムーズになる。そして第二テーパ部位１２ｓをオリフィス部材１０に設けることで、オリフィス部材１０における圧力変動の最大値（Ｐ’ｍａｘ）を、従来構成のオリフィス部材１０よりも更に低下（減少）させることができる（後述の試験結果を参照）。
本実施形態では、第二テーパ部位１２ｓを、配管内壁に対して角度θ２で直線状に傾斜させることができる。角度θ２の範囲は特に限定しないが、典型的には２０°〜４５°であることが好ましい。ここで角度θ２が２０°未満であると、第二テーパ部位１２ｓが長くなり、オリフィス部材１０が大型化するが、大型化に見合った顕著な効果は得難い。またθ１≧θ２の関係があるため角度θ２が４５°より大きいと、公知技術のオリフィス特性に近づき、本発明に特有の減肉効果が得難い状況になる。
【００１８】
（垂直面部位）
垂直面部位１６は、断面視で配管内壁に対して直線状に立設する（配管内壁を水平線と見立てたときにそれに対して垂直状に配置する）部位である（図１を参照）。この垂直面部位１６は、前記一面とは異なるオリフィス部材１０他面側（配管下流側）を構成する部位であり、配管内壁に対して略９０°で配置可能である。
そして本実施形態では、後述するように配管下流側（図１では下方）に垂直面部位１６を配置する。このように配管下流側に垂直面部位１６を配置することで、下流側の配管内壁に流体が案内されること（配管内壁に過度の流体圧力がかかること）を極力阻止することができる。
【００１９】
［オリフィス部材の配設］
図１を参照して、オリフィス部材１０を配管（３０ｕ，３０ｄ）内に配設する。
ここでオリフィス部材１０を配管内に配置する手段は特に限定しない。例えば配管一部に予めオリフィス部材１０を配設する。つぎに配管一部の端部外周に切削加工（ネジ切り）を施して、他の配管に接続可能なネジ山を形成する。そして配管一部に、他の配管（上流側の配管３０ｄ、下流側の配管３０ｕ）を接続することにより、オリフィス部材１０を配管の所定位置に配置できる。
本実施形態では、オリフィス部材１０を配管内に配置する際に、下流側の配管３０ｕに垂直面部位１６を向けて配置する（配管下流側に配置する）。そして上流側の配管３０ｄ（配管上流側）に向かって拡開するように各テーパ部位１２ｆ，１２ｓを配置する。
【００２０】
つぎにオリフィス部材１０を挟んで、配管の上流側の圧力と、配管の下流側の圧力を取出す。ここで圧力の取出し方法は特に限定しないが、例えばＤ・Ｄ／２タップ方式を採用できる。
例えば本実施形態では、配管の上流側と下流側に、各々導圧管２０ｕ，２０ｄ（配管内外を連通する管部材）を設ける。そして一対の導圧管２０ｕ，２０ｄに差圧計をつなげることにより、オリフィス部材１０の前後（上流と下流）の圧力差を測定できる。
【００２１】
そして本実施形態では、各テーパ部位１２ｆ，１２ｓを配管上流側に配置することにより、配管上流側の流体が比較的スムーズに孔部１１に案内される。このため本実施形態によれば、オリフィス部材１０の下流における流体の流れをスムーズ化させ乱流の程度を抑制することで、圧力変動を適切に低下させることができる。
また本実施形態によれば、両テーパ部位１２ｆ，１２ｓによって、オリフィス部材１０の下流における圧力変動（最大値）を好適に低下させることにより、流体の流れを更にスムーズ化することができる。
またオリフィス部材１０の他面側を垂直面部位１６で構成することにより、従来構成（例えばベンチュリ管等）と比較して、オリフィス部材１０の構成が簡略化される。さらに垂直面部位１６を配管下流側に配置することにより、下流側の配管内壁に流体が案内されること（配管内壁に過度の流体圧力がかかること）を極力阻止できる。
そして本実施形態のオリフィス部材１０によれば、流体の圧力差が極端に低下することがないため、従来のオリフィス部材１０と遜色のない精度で配管内の流体流量を測定することができる。
この結果として本実施形態によれば、オリフィス部材１０（比較的シンプルな構成）によって、配管の減肉化を好適に低減することができる。特に本実施形態のオリフィス部材１０は、高温高圧下に置かれる配管（原子力発電所等の配管）に好適に採用できる。
【００２２】
＜実施形態２＞
第２の実施形態を図２に示す。実施形態２の基本構造は、実施形態１の基本構造とほぼ同一であるため、共通の構造等については対応する符号を付して詳細な説明を省略する。
本実施形態のオリフィス部材１０ａは、孔部１１と、第一テーパ部位１２ｆと、垂直面部位１６を有する（第二テーパ部位を省略した構成である）。そして配管下流側に垂直面部位１６を配置するとともに、配管上流側に向かって拡開するように第一テーパ部位１２ｆを配置する構成とした。なお本実施形態における圧力の取出し方法は特に限定しないが、Ｄ・Ｄ／２タップ方式、フランジタップ及びコーナータップを例示できる。
そして本実施形態においても、オリフィス部材１０ａ（比較的シンプルな構成）によって、配管の減肉化を好適に低減することができる。
【００２３】
＜試験例＞
以下、本実施形態を試験例に基づいて説明するが、本発明は試験例に限定されない。
［実験装置］
本試験の試験装置４０は、タンク２Ａと、ポンプ４Ａと、流量調整バルブ６Ａと、電磁流量計８Ａと、光源１１Ａ（ハロゲンランプ）と、ハイスピードカメラ１２Ａと、マノメータ１４Ａ（圧力計）と、オリフィス部材（１０，１０ａ）と、直流増幅器１８Ａと、拡散形半導体圧力変換器２０Ａと、オシロスコープ２２Ａと、コンピュータ２４Ａを有する（図４を参照）。
テストセレクション１３Ａとして、円筒状の配管（配管内径Ｄ４０ｍｍ、全長２３００ｍｍ、アクリル樹脂製）を使用した。電磁流量計８Ａとして、型式：ＦＭＲ１０４Ｗ（日立ハイテクコントロールシステムズ社製）を使用した。拡散形半導体圧力変換器２０Ａとして、型式：ＰＤ１０４ＳＷ（ＪＴＥＫＴ社製）を使用した。
【００２４】
本試験では、テストセレクション１３Ａを垂直に配置した。そしてテストセレクション１３Ａ途中（その下部から１３００ｍｍの位置）に、後述のオリフィス部材（１０，１０ａ）を設置した（図４を参照）。
つぎにテストセレクション１３Ａ途中（オリフィス部材の上流と下流）の壁面に圧力孔（直径０．８ｍｍ）を穿設してマノメータ１４Ａを接続した。光源１１Ａ（ハロゲンランプ）とハイスピードカメラ１２Ａを、テストセレクション１３Ａ途中（オリフィス部材の設置位置）の周囲に配置して、テストセレクション１３Ａ内部（表面形状や減肉パターン）を観察した。そして直流増幅器１８Ａと拡散形半導体圧力変換器２０Ａとオシロスコープ２２Ａとコンピュータ２４Ａは、テストセレクション１３Ａ上部に接続した。
つぎに他の配管によって、テストセレクション１３Ａ下部とタンク２Ａを、ポンプ４Ａと流量調整バルブ６Ａと電磁流量計８Ａを介してつなげるとともに、テストセレクション１３Ａ上部とタンク２Ａをつなげた。そしてタンク２Ａからの水が、ポンプ４Ａで加圧され電磁流量計８Ａを通過し、テストセレクション１３Ａの最下部から円管内に流入しオリフィス部材で噴流となって下流へ噴出されたのち、上部からタンク２Ａに戻り循環する構成とした。さらにオリフィス前後（上流と下流）の圧力分布を、マノメータ１４Ａと拡散形半導体圧力変換器２０Ａ等を使って測定した。
【００２５】
（実施例１）
本実施例のオリフィス部材は、実施形態１のオリフィス部材１０であり、孔部１１と、第一テーパ部位１２ｆ（厚み寸法Ｌ３：４．０ｍｍ）と、第二テーパ部位１２ｓを有する（図１を参照）。
本実施例では、孔部１１の径寸法ｄ＝１５．０ｍｍ、絞り面積比ＣＲ＝０．１４とした。また第一テーパ部位１２ｆの傾斜角度θ１＝４５°に設定し、第二テーパ部位１２ｓの傾斜角度θ２＝２０°に設定した。
本実施例では、第一テーパ部位１２ｆと第二テーパ部位１２ｓを上流側（図４で見て下方）に向けつつ、テストセレクション途中（その下部から１３００ｍｍの位置）にオリフィス部材１０を設置した。そして一対の導圧管２０ｕ，２０ｄ（内径０．８ｍｍ）をオリフィス部材に設けた。そして下流側の導圧管２０ｕとオリフィス部材のクリアランスＬ１を１０.０ｍｍとし、上流側の導圧管２０ｄとオリフィス部材のクリアランスＬ２を３５．６ｍｍとした。
【００２６】
（実施例２）
本実施例のオリフィス部材（厚み寸法Ｌ６:４．０ｍｍ）は、実施形態２のオリフィス部材１０ａであり、第二テーパ部位を有さない（図２を参照）。第一テーパ部位と孔部は、上述の実施例１のオリフィス部材と同一構成である。そして本比較例では、第一テーパ部位を上流側に向けつつ、テストセレクション途中にオリフィス部材を設置した。
そして一対の導圧管２０ｕ，２０ｄをオリフィス部材に設けた。このとき下流側の導圧管２０ｕとオリフィス部材のクリアランスＬ４を１０.０ｍｍとし、上流側の導圧管２０ｄとオリフィス部材のクリアランスＬ５を１０.０ｍｍとした。
【００２７】
（実施例３）
本実施例のオリフィス部材は、実施例１と略同一構成である。そして本実施例では、オリフィス部材に、孔部から管壁面に対してθ２＝３０°の第二テーパ部位を有する形状とした。そして実施例１と同一の向きで、オリフィス部材をテストセレクション途中に設置した。
【００２８】
（実施例４）
本実施例のオリフィス部材は、実施例１と略同一構成である。そして本実施例では、オリフィス部材に、孔部から管壁面に対してθ２＝４５°の第二テーパ部位を有する形状とした。そして実施例１と同一の向きで、オリフィス部材をテストセレクション途中に設置した。
【００２９】
（比較例１）
本比較例のオリフィス部材は、実施例２と略同一構成である。そして本比較例では、実施例とは逆向きで（第一テーパ部位を下流側（図４で見て上方）に向けつつ）、テストセレクション途中にオリフィス部材を設置した。
【００３０】
（比較例２）
本比較例のオリフィス部材は、実施例１と略同一構成である。そして本比較例では、実施例とは逆向きで（第一テーパ部位と第二テーパ部位を下流側に向けつつ）、テストセレクション途中にオリフィス部材を設置した（図３を参照）。
【００３１】
（比較例３）
本比較例のオリフィス部材は、実施例３と略同一構成である。そして本比較例では、実施例とは逆向きで、テストセレクション途中にオリフィス部材を設置した。
【００３２】
（比較例４）
本比較例のオリフィス部材は、実施例４と略同一構成である。そして本比較例では、実施例とは逆向きで、テストセレクション途中（その下部から１３００ｍｍの位置）にオリフィス部材を設置した。
【００３３】
［試験結果］
以下に、実施例と比較例の試験結果を示す。なお図５〜１２では、便宜上、実施例１をＳｐ２０−ｒｅｖ、実施例２をＳｔｄ−ｒｅｖ、実施例３をＳｐ３０−ｒｅｖ、実施例４をＳｐ４５−ｒｅｖと表記する。また同様に図５〜１２では、便宜上、比較例１をＳｔｄ、比較例２をＳｐ２０、比較例３をＳｐ３０、比較例４をＳｐ４５と表記する。
【００３４】
（流量係数）
図５に、実施例１，２のオリフィス部材の流量係数Ｃと、比較例１，２のオリフィス部材の流量係数Ｃを示す。測定誤差は、約０．５％であった。また図６に、実施例１〜４のオリフィス部材の流量係数Ｃと、比較例１〜４のオリフィス部材の流量係数Ｃを示す。図６の各サークルに、各グラフの位置関係を概略的に示す。
図５を参照して、流量係数Ｃは、レイノルズ数Ｒｅ＝ｕmＤ／ν=（１〜７）×１０4，（ｕm：管内平均流速，ν：動粘度）で一定であり、実施例１のオリフィス部材は流量計として使用可能であることがわかった。また比較例１のオリフィス部材の流量係数Ｃは規格値（ＪＩＳ  Ｚ  ８７６２等を参照）と誤差±０．５％以内で一致した。
また同様に図６を参照して、実施例２〜４のオリフィス部材の流量係数Ｃも、実施例１のオリフィス部材と同様に一定であることから、流量計として使用可能であることがわかった。
【００３５】
（圧力分布）
図７に、実施例１及び比較例１，２におけるオリフィス下流域の圧力分布ｐを、圧力係数Ｃｐ＝２（Ｐ−pref）／（ρｕm2）（ｐref：代表圧力，ｙ／Ｄ=‐６．２５での静圧力とした）で示す。実施例１及び比較例１，２では、レイノルズ数Ｒｅ＝５．０×１０4に設定し、ｐについては位置水頭分を補正した。
図７を参照して、オリフィス部材の下流では、オリフィス部材のエッジから剥離した流れと管壁との間に環状の負圧の渦領域が形成されることがわかった。その結果、オリフィス部材の直後で圧力は大きく低下し下流に向かって回復した後摩擦圧力損失に従って一定圧力勾配で減少することがわかった。
そして圧力回復に至る領域は実施例１と比較例１でほぼ等しく（ｙ／ｄ≒４）、実施例１で圧力損失が他に比し大きく減少することがわかった。すなわち圧力損失は，比較例１に対して実施例１で約３８％減少する一方、比較例２で約３％減少するにとどまった。
【００３６】
（変動圧力分布）
図８及び図９を参照して、各実施例及び各比較例におけるＣＲ＝０．１４，Ｒｅ＝５．０×１０4での変動圧力分布を示す。
ここで図８を参照して、比較例１の変動圧力の最大値はｙ／Ｄ＝２近傍で、それはオリフィス部材と圧力分布から推測されるオリフィスエッジからの剥離流線の再付着点ｙ／Ｄ≒４とのほぼ中間位置にある。なおこれは、オリフィス下流の減肉の最大位置と一致する（“米田公俊・森田良，配管減肉現象に関わる流動特性の解明（その１）−単相流中のオリフィス下流域の乱流特性−，電力中央研究所，研究報告Ｌ０５００７（２００６），ｐｐ．１−２３”、“米田公俊・森田良，流れ加速型腐食に対する影響因子の定量的な評価 (その１)−流体力学因子と減肉率との相関−，電力中央研究所，研究報告Ｌ０６００７（２００７），ｐｐ．１−２２”（以下、従来の研究とも呼ぶ）を参照）。
また従来の研究では、減肉の最大位置で乱流運動エネルギが最大になることから、それを減肉の主原因の一つとしている（一般に、本減肉現象は物理的あるいは化学的壊蝕の結果と考えられる）。
しかし、減肉の最大位置は変動圧力の最大位置（図８）と一致し減肉の直接的な主原因の一つ、物理的壊蝕の原因は管壁における圧力変動と考えることができる。
そして図８を参照して、各実施例における最大変動圧力値は、比較例１と比較して好適に減少することがわかった。また図９を参照して、比較例２〜４における最大変動圧力値は、比較例１と比較して増加することがわかった。
このことからノズルの配置方法（オリフィス部材の設置方向）は、オリフィス下流域での流動特性や減肉特性に大きく影響し、例えば実施例１の使用は、圧力変動量や減肉量の軽減の可能性を強く示唆する。
【００３７】
さらに図８を参照して、比較例１の圧力損失最大値（Ｐ’ｍａｘ）を１００％とした場合、実施例１では、圧力損失最大値（Ｐ’ｍａｘ）が７８．５％に減少した。
また比較例１の圧力損失最大値（Ｐ’ｍａｘ）を１００％とした場合、実施例２では圧力損失最大値（Ｐ’ｍａｘ）が８１．７％に減少し、実施例３では圧力損失最大値（Ｐ’ｍａｘ）が７８．５％に減少した。
【００３８】
（減肉模擬試験）
下記の手法により、減肉模擬試験を行った。なおオリフィス下流域の管壁の減肉現象を実験的に明らかにするには長時間を要するなど困難が伴う。
まず管壁に、グリース（信越シリコーン：ＨＩＶＡＣ−Ｇ）を厚さ０．５ｍｍで一様に塗り、Ｒｅ＝５．０×１０4で１５分後のはく離の様子を観察した。
図１０（ａ）は、比較例１の減肉模擬試験の結果であり、グリースのはく離した領域はｙ/Ｄ＝１．５〜２．５に存在し、それは最大変動圧力の領域と一致した。また図１０（ｂ）の比較例２の結果も同様で，比較例１より上流に減肉位置が移動した。
そして図１０（ｃ）は、実施例１の減肉模擬試験の結果であり、グリースのはく離した領域はｙ/Ｄ＝１．５〜２．５に存在し、それは最大変動圧力の領域と一致した。
【００３９】
図１１（ｂ）を参照して、配管内壁の表面形状を観察したところ、グリースが引きずられた跡と鱗片状の小さなディンプルが見られた。
この鱗片状の模様は、実機の減肉状況（従来の研究、「図１１（ａ）実機配管」を参照）と類似しており、実機における減肉現象が流れの影響（変動圧力等）を強く受けることがわかった。
【００４０】
（減肉量）
図１２に、各実施例及び比較例のオリフィス部材の最大変動圧力値Ｐ’ｍａｘと平均流速ｕmとの関係を示す。最大変動圧力値Ｐ’ｍａｘは、平均流速ｕmの増加とともに二次関数的に増加し比較例１では次式（１）で表わされる。
Ｐ’ｍａｘ＝０．８２６ｕm2                              （１）
またＰ’ｍａｘは、比較例２で最大（Ｐ’ｍａｘ＝０．９０９ｕm2）になり、実施例１で最小（Ｐ’ｍａｘ＝０．５０９ｕm2）になることがわかった。
ところで減肉量はｕm2の増加とともに増加することが実験的に明らかにされている（従来の研究を参照）。これらのことから、減肉量は変動圧力Ｐ’ｍａｘと線形関係になることが予測される。
【００４１】
［結論］
以上の試験結果から、実施例１〜４のオリフィス部材によると、配管の減肉化を好適に低減可能であることがわかった。
この効果は、テーパ部位を配管上流側に配置することで、オリフィス部材の前後における圧力変動を適切に低下させつつ、流体の流れを比較的スムーズ化したためであると容易に推測される。
さらに試験結果から、下記（１）〜（３）が判明した（又は予測できた）。
（１）変動圧力が最大となる位置は、オリフィス部材と再付着点のほぼ中間に位置し、それは減肉量が最大となる位置と一致した。
（２）変動圧力の最大値は、比較例１に対し比較例２で約２８％増加し、実施例１で約２１％減少した。
（３）減肉量は、Ｐ’ｍａｘと線形関係になることが予測される。
【００４２】
本実施形態のオリフィス部材は、上述した実施形態に限定されるものではなく、その他各種の実施形態を取り得る。
（１）本実施形態では、第一テーパ部位１２ｆと第二テーパ部位１２ｓを有するオリフィス部材を例示した。本実施形態のオリフィス部材は、第一テーパ部位と第二テーパ部位の少なくとも１つを有することができる。
（２）本実施形態では、孔部１１の構成（形成箇所や個数等）を例示したが、孔部の構成を限定する趣旨ではない。
【符号の説明】
【００４３】
１０   オリフィス部材
１１   孔部
１２ｆ 第一テーパ部位
１２ｓ 第二テーパ部位
１６   垂直面部位
１８   内面部
２０ｕ，２０ｄ       導圧管
３０ｕ，３０ｄ       配管
４０   試験装置
２Ａ   タンク
４Ａ   ポンプ
６Ａ   流量調整バルブ
８Ａ   電磁流量計
１１Ａ 光源
１２Ａ ハイスピードカメラ
１３Ａ テストセレクション
１４Ａ マノメータ
１８Ａ 直流増幅器
２０Ａ 拡散形半導体圧力変換器
２２Ａ オシロスコープ
２４Ａ コンピュータ
【図１】
2012052573.tif 000003
【図２】
2012052573.tif 000004
【図３】
2012052573.tif 000005
【図４】
2012052573.tif 000006
【図５】
2012052573.tif 000007
【図６】
2012052573.tif 000008
【図７】
2012052573.tif 000009
【図８】
2012052573.tif 000010
【図９】
2012052573.tif 000011
【図１０】
2012052573.tif 000012
【図１１】
2012052573.tif 000013
【図１２】
2012052573.tif 000014